(57)【要約】    【課題】一度使用した紙袋を、簡単に複数回使用できるようにした複数回使用可能な紙袋を提供する。      【解決手段】この考案の紙袋１は、フラップ３の幅方向Ｗに沿って接着層５，６を形成するとともに、その接着層５，６を前記フラップの長さ方向Ｌに沿って所定の間隔を設けて複数箇所形成し、封緘の際、前記複数箇所の接着層５，６のうち、前記フラップ３の先端側に位置する接着層５から順次使用することより、前記フラップ３により前記口部２を複数回封緘するようにした。  【選択図】  図１
0003122112.tif 000002
【実用新案登録請求の範囲】
【請求項１】
筒状体からなる紙袋の口部に配設されたフラップを折り曲げて前記筒状体の表面に貼着し、これにより前記口部を封緘するようにした紙袋において、
前記フラップの幅方向に沿って接着層を形成するとともに、その接着層を前記フラップの長さ方向に沿って所定の間隔を設けて複数箇所形成し、封緘の際、前記複数箇所の接着層のうち、前記フラップの先端側に位置する接着層から順次使用することより、前記フラップにより前記口部を複数回封緘するようにしたことを特徴とする複数回使用可能な紙袋。
【請求項２】
前記接着層に隣接した前記フラップにはその幅方向に沿って開封テープが配設されていることを特徴とする請求項１に記載の複数回使用可能な紙袋。
【請求項３】
前記接着層はホットメルト系接着剤により構成されていることを特徴とする請求項１乃至２に記載の複数回使用可能な紙袋。
【請求項４】
前記紙袋は内袋を有することを特徴とする請求項１乃至３に記載のの複数回使用可能な紙袋。
【請求項５】
前記紙袋はひだなし紙袋、あるいはひだ付の紙袋であることを特徴とする請求項１乃至４に記載の複数回使用可能な紙袋。
【請求項６】
前記紙袋は多層の紙袋であることを特徴とする請求項１乃至５に記載の複数回使用可能な紙袋。
【考案の詳細な説明】
【技術分野】
【０００１】
この考案は紙袋に関し、特に一度使用した後、再度封緘して簡単に再使用することの出来る複数回使用可能な紙袋に関する。
【背景技術】
【０００２】
従来、各種の内容物を入れるために使用される筒状体の紙袋は、当該紙袋の口部となる部分にフラップを形成し、そのフラップに例えば樹脂系のホットメルト接着剤を塗布し、また底部となる他端部を予め封緘して底部閉鎖部として構成されているものが一般的でる。
【０００３】
このような従来の紙袋は、口部から投入された内容物を収容した後、フラップに塗布された接着剤を加熱活性化し、それを折り曲げて当該フラップを筒状体の表面に密着させて口部を封緘するようにしている。
【０００４】
そして、従来から封緘された紙袋を輸送や保管等に用いた後に、当該紙袋から内容物を取り出す時、当該紙袋の開封を容易にするために種々の工夫をしたものも知られている。
【０００５】
具体的には、上述した紙袋の底部閉鎖部の構造が、底部となる筒状体の他端部を複数回巻き込むように折り曲げ、この折曲げ部を跨ぐようにその全幅に亘る長さの開封テープ付き当て紙で包囲し、この当て紙の両端部を筒状体の各壁面に接着剤で接着して形成したものである。
【０００６】
このような紙袋によると、内容物を充填した後の開封の際には、この紙袋を倒立させ、内容物充填口であった一端部を下にすることにより底部閉鎖部を上にし、当て紙の内面に接着されている開封テープを端から引き上げて当て紙を引き破り、内部から筒状体の折曲げ部である他端部を引き出し、これを折り戻して開封口とするものである。
【考案の開示】
【考案が解決しようとする課題】
【０００７】
ところで、近年、資源の節約化の観点から製品の繰り返し使用が求められており、この種の紙袋についても例外ではなくなってきている。しかしながら、従来の紙袋の構成では、少なくとも一部を再加工しなければ繰り返して使用することはできない。
【０００８】
すなわち、従来の紙袋では、内容物が充填された後、口部を覆うフラップは、当該フラップに塗布されたホットメルト接着剤により筒状体の壁面に強固に接着しているため、この封緘口部を開けるには刃物でフラップを切り開くしかなく、もしそのようにして開封すれば、口部を簡単に再封緘することはほとんど困難である。
【０００９】
また、前述した底部閉鎖部が端部を数回折り曲げ（巻き込み）、この折曲げ部を当て紙で包囲固定しているため、当て紙を引き破って巻き込んだ端部を元に戻して開封した後にこの開封部分を簡単に再封緘することも困難である。
【００１０】
従って、この種の紙袋を複数回使用できるようにするには、予め製袋工場で周到な準備、即ち複数回使用ができるような設計がなされていないと無理なのである。
【００１１】
しかし、従来の紙袋では、本来的に複数回使用の思想がないためにそのような構成にはなっておらず、そのためほとんどの場合、焼却処分とされていた。
【００１２】
上述した課題を解決するため、この考案では、一度使用した紙袋を、簡単に複数回使用できるようにした複数回使用可能な紙袋を提供することにある。
【課題を解決するための手段】
【００１３】
上述した課題を解決するため、この考案の複数回使用可能な紙袋では、筒状体からなる紙袋の口部に配設されたフラップを折り曲げて前記筒状体の表面に貼着し、これにより前記口部を封緘するようにした紙袋において、前記フラップの幅方向に沿って接着層を形成するとともに、その接着層を前記フラップの長さ方向に沿って所定の間隔を設けて複数箇所形成し、封緘の際、前記複数箇所の接着層のうち、前記フラップの先端側に位置する接着層から順次使用することより、前記フラップにより前記口部を複数回封緘するようにしている。
【考案の効果】
【００１４】
上述した、紙袋によると、フラップの幅方向に沿って接着層を形成するとともに、その接着層をフラップの長さ方向に沿って所定の間隔を設けて複数箇所形成し、封緘の際、前記複数箇所の接着層のうち、前記フラップの先端側に位置する接着層から順次使用して口部を複数回封緘するようにしているから、一度貼着された部分のフラップをその幅方向に破断することにより紙袋を開封することが出来、また残った接着層を使用して再びフラップを筒状体の表面に貼着することにより口部を覆って紙袋を再封緘することが出来る。従って、従来の紙袋のフラップに複数の接着層を形成するという簡単な構造の変更で安価に複数回使用することが可能な紙袋を提供することが可能となる。  
【考案を実施するための最良の形態】
【００１５】
以下、この考案に係る複数回使用可能な紙袋の一実施例を詳述する。
【００１６】
図１はこの考案に係る複数回使用可能な紙袋１の正面図で、特に内部に合成樹脂等で形成された内袋を具えたひだなしの紙袋を示している。
【００１７】
この紙袋１の口部２には、当該口部２を覆って封緘するためのフラップ３が筒状体４の背面４ｂから延設されている。なお、このフラップ３は筒状体４とは別体の当て紙等で形成するようにしてもよい。
【００１８】
そして、このフラップ３の表面３ａには、その幅Ｗ方向に沿い接着層５，６が形成され、またその接着層５，６はフラップ３の長さＬ方向に沿って所定の間隔を設けて複数箇所形成されている。
【００１９】
なお、実施例では、上述した接着層５，６に隣接した位置に開封テープ７，８が配設されている。なお、この接着層５，６は実施例ではホットメルト系の接着剤により形成され、この接着層５，６は、図１に示す初期状態では加熱処理されることなく不活性状態を維持している。
【００２０】
一方、図１のＡＡ断面で示す図２のように、この紙袋１の底部１０は予め折り曲げられ筒状体４の表面４ａから延設されたフラップ１１により予め封緘されている。これを詳述すると、フラップ１１にはホットメルト系の接着層１２が形成され、これを加熱処理して活性化し、この接着層１２を筒状体４の背面４ｂに接着することにより底部１０が封緘されている。
【００２１】
一方、この紙袋２内には、合成樹脂等で形成された筒状体の内袋２０が配設され、その先端２０ａは紙袋１の口部２に配設された接着層２２を介して紙袋２に貼着され、またこの内袋２０の後端２０ｂは接着層２２により予め閉鎖されている。
【００２２】
次に、上述した本願考案に係る紙袋１の作用を説明し、併せて構成をより詳細に説明する。
【００２３】
まず、図２に示すように口部２が拡開されている状態で、当該口部２内に内容物を投入して内袋２０内に内容物を収容する。
【００２４】
次にフラップ３に形成された接着層５，６のうち、先端に形成された接着層５を加熱処理して活性化させ、次に、このフラップ３を図１の一点鎖線Ｍに沿って折り曲げ、これにより図３に示すように、前記活性化した接着層５を紙袋１の筒状体４の表面４ａに密着させて口部２を覆い、これにより口部２を封緘する。
【００２５】
一方、この図３に示す口部２が封緘された紙袋１を開封するには、前記接着層５に隣接した位置に配設された開封テープ７をフラップ３の幅方向へ引張して当該フラップ３を開封テープ７に沿って引き裂く。
【００２６】
すると、図４に示すように、筒状体４の表面４ａに配設した接着層５と未だ活性化されていない接着層６との間のフラップ３が破断し、このため接着層６が配設されたフラップ３を、図５に示すように矢印Ｂのように折り曲げると、口部２が拡開して開封することが出来ることとなる。
【００２７】
このように開封された口部２から内容物を排出した後、再びこの紙袋２を再利用するばあいは、図５で示す口部２が開封された状態で、当該口部２内に内容物を再投入して収容し、その後、接着層６を加熱処理して活性化させ、次に、図６で示すように、再び一点鎖線で示す折り曲げ線Ｍ（図１）に沿って、フラップ３を折り曲げ、活性化した接着層６を筒状体４の表面４ａに密着させる。
【００２８】
すると、口部２が再びフラップ３により覆われて、当該口部２が封緘されることとなる。
【００２９】
また、この図６で示す再封緘された紙袋２を開封するには、図６で示す状態から開封テープ８を引っ張ってフラップ３を開封テープ８の部分で破断させる（図７）。
【００３０】
その後、フラップ３を図７の矢印Ｃのように折り曲げると、図８で示すように口部２が再び開封され、そこから内容物を再び排出させることが出来る。
【００３１】
従って、上述した本願考案の紙袋１によると、紙袋１のフラップ３に複数の接着層５，６を形成するという簡単な構造の変更で複数回使用することが可能な紙袋１を提供することが出来ることとなる。
【００３２】
なお、上記実施例では、図２に示すように、開封テープ６，７を使用するようにしたが、この考案は上記実施例に限定されることなく、この開封テープ６，７を使用することなく当該部分をカッター、鋏等で破断するようにしてもよい。
【００３３】
また、上記実施例では、フラップ３に所定の間隔で２箇所に接着層５，６を形成するようにしたが、この考案は上記実施例に限定されることなく、フラップ３の長さ方向Ｌ（図１）に沿って二箇所以上形成しても良く、フラップ３の長さＬに応じてその設置箇所の数を増大させるようにしてもよい。  
また上記実施例では、紙袋１はひだなし紙袋に適用した場合について詳述したが、この考案は上記実施例に限定されることなく、ひだ付紙袋に適用してもよい。
【００３４】
また、上記実施例では、内袋付紙袋１について詳述したが、この考案は上記実施例に限定されることなく、内袋のない紙袋に適用しても良い。
【００３５】
また、上記実施例では一層の紙袋１に適用した場合について詳述したが、多層の紙袋に適用してもよい。
【００３６】
また上記実施例では接着層５，６をホットメルト系設置薬剤により形成するようにしたが、例えば接着層５，６を両面接着テープにより形成するようにしてもよい。
【産業上の利用可能性】
【００３７】
以上説明したように、この考案は、一度使用した紙袋を、簡単に複数回使用できるようにした複数回使用可能な紙袋に適している。    
【図面の簡単な説明】
【００３８】
【図１】図１はこの考案に係る複数回使用可能な紙袋の正面図。
【図２】図２は図１のＡＡ断面図。
【図３】図３はこの考案に係る紙袋の作用を示す断面図。
【図４】図４はこの考案に係る紙袋の作用を示す断面図。
【図５】図５はこの考案に係る紙袋の作用を示す断面図。
【図６】図６はこの考案に係る紙袋の作用を示す断面図。
【図７】図７はこの考案に係る紙袋の作用を示す断面図。
【図８】図８はこの考案に係る紙袋の作用を示す断面図。
【符号の説明】
【００３９】
１…紙袋
２…口部
３…フラップ
４…筒状体
４ａ…筒状体の表面
５，６…接着層
７，８…開封テープ
Ｗ…フラップの幅方向
Ｌ…フラップの長さ方向
【図１】
0003122112.tif 000003
【図２】
0003122112.tif 000004
【図３】
0003122112.tif 000005
【図４】
0003122112.tif 000006
【図５】
0003122112.tif 000007
【図６】
0003122112.tif 000008
【図７】
0003122112.tif 000009
【図８】
0003122112.tif 000010